【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイすること、ここにおいて、前記データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、および
前記少なくとも１つのタイマーをリセットすることと、前記少なくとも１つのタイマーのリセット時にスケジューリング要求（ＳＲ）を前記ネットワークデバイスに送ることと、前記ＵＥからのデータを送信することとによって、前記第１のＲＡＴにチューンバックするとアップリンクデータ転送の継続を開始すること、ここにおいて、前記タイマーが前記ＵＥに含まれる、あるいは
前記ネットワークデバイスに電力節約モードから抜けさせることによって、前記第１のＲＡＴにチューンバックするとダウンリンクデータ転送の継続を開始すること、ここにおいて、前記少なくとも１つのタイマーが、前記ネットワークデバイスに含まれ、前記ネットワークデバイスからのデータの受信および前記電力節約モードのサイクルを定義する、
を備える、方法。
【請求項２】
前記少なくとも１つのタイマーは、前記ＵＥがデータ転送を要求するのをその間控える時間を定義する、請求項１に記載の方法。
【請求項３】
前記少なくとも１つのタイマーが、前記ＵＥのバッファステータス報告（ＢＳＲ）タイマーに対応する、請求項２に記載の方法。
【請求項４】
前記電力節約モードの前記サイクルは、前記ネットワークデバイスがダウンリンクデータを送るのをその間控えるオフ持続時間を備える、請求項１に記載の方法。
【請求項５】
前記少なくとも１つのタイマーが、前記ネットワークデバイスの間欠受信（ＤＲＸ）タイマーに対応する、請求項４に記載の方法。
【請求項６】
前記ネットワークデバイスに前記電力節約モードから抜けさせることが、スケジューリング要求（ＳＲ）を前記ネットワークデバイスに送ることを備える、請求項１に記載の方法。
【請求項７】
ダウンリンクデータ転送の継続を開始するより前に、前記ＵＥがチューンアウェイすることより前のダウンリンクデータアクティビティに関係する判定基準が満たされたかどうかを決定することをさらに備える、請求項１に記載の方法。
【請求項８】
前記判定基準は、前記ＵＥがチューンアウェイすることより前の時間期間中に前記ＵＥによって受信されたダウンリンクデータのサイズの測度（measure）を備える、請求項７に記載の方法。
【請求項９】
ワイヤレス通信のためのユーザ機器（ＵＥ）であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイするための手段と、ここにおいて、前記データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始するための手段と、ここにおいて、前記タイマーが前記ＵＥに含まれる、
前記ネットワークデバイスに電力節約モードから抜けさせることによって、前記第１のＲＡＴにチューンバックするとダウンリンクデータ転送の継続を開始するための手段と、ここにおいて、前記少なくとも１つのタイマーが、前記ネットワークデバイスに含まれ、前記電力節約モードのサイクルを定義する、
データを送信および受信するための手段と
を備える、ユーザ機器。
【請求項１０】
ダウンリンクデータ転送の継続を開始するより前に、前記ＵＥがチューンアウェイすることより前のダウンリンクデータアクティビティに関係する判定基準が満たされたかどうかを決定するための手段をさらに備える、請求項９に記載のユーザ機器。
【請求項１１】
実行されたとき、コンピュータに、請求項１から８のうちのいずれかに記載の方法を実行させるコンピュータ実行可能コードを記憶するコンピュータ可読媒体。
【手続補正２】
【補正対象書類名】明細書
【補正対象項目名】００７８
【補正方法】変更
【補正の内容】
【００７８】
[0090]  以上の説明は、本明細書で説明した様々な態様を当業者が実施できるようにするために与えたものである。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）のワイヤレス通信の方法であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイすること、ここにおいて、データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、および
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始すること、ここにおいて、前記タイマーが前記ＵＥに関連する、あるいは
前記ネットワークデバイスに電力節約モードから抜けさせることによって、前記第１のＲＡＴにチューンバックするとダウンリンクデータ転送の継続を開始すること、ここにおいて、前記少なくとも１つのタイマーが、前記ネットワークデバイスに関連し、前記電力節約モードのサイクルを定義する、
を備える、方法。
［Ｃ２］
前記少なくとも１つのタイマーは、前記ＵＥがデータ転送を要求するのをその間控える時間を定義する、Ｃ１に記載の方法。
［Ｃ３］
前記少なくとも１つのタイマーが、前記ＵＥのバッファステータス報告（ＢＳＲ）タイマーに対応する、Ｃ２に記載の方法。
［Ｃ４］
前記電力節約モードの前記サイクルは、前記ネットワークデバイスがダウンリンクデータを送るのをその間控えるオフ持続時間を備える、Ｃ１に記載の方法。
［Ｃ５］
前記少なくとも１つのタイマーが、前記ネットワークデバイスの間欠受信（ＤＲＸ）タイマーに対応する、Ｃ４に記載の方法。
［Ｃ６］
前記ネットワークデバイスに前記電力節約モードから抜けさせることが、スケジューリング要求（ＳＲ）を前記ネットワークデバイスに送ることを備える、Ｃ１に記載の方法。
［Ｃ７］
ダウンリンクデータ転送の継続を開始するより前に、前記ＵＥがチューンアウェイすることより前のダウンリンクデータアクティビティに関係する判定基準が満たされたかどうかを決定することをさらに備える、Ｃ１に記載の方法。
［Ｃ８］
前記判定基準は、前記ＵＥがチューンアウェイすることより前の時間期間中に前記ＵＥによって受信されたダウンリンクデータのサイズの測度（measure）を備える、Ｃ７に記載の方法。
［Ｃ９］
ワイヤレス通信のためのユーザ機器（ＵＥ）であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイするための手段と、ここにおいて、データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始するための手段と、ここにおいて、前記タイマーが前記ＵＥに関連する、
前記ネットワークデバイスに電力節約モードから抜けさせることによって、前記第１のＲＡＴにチューンバックするとダウンリンクデータ転送の継続を開始するための手段と、ここにおいて、前記少なくとも１つのタイマーが、前記ネットワークデバイスに関連し、前記電力節約モードのサイクルを定義する、
を備える、ユーザ機器。
［Ｃ１０］
前記少なくとも１つのタイマーは、前記ＵＥがデータ転送を要求するのをその間控える時間を定義する、Ｃ９に記載のユーザ機器。
［Ｃ１１］
前記少なくとも１つのタイマーが、前記ＵＥのバッファステータス報告（ＢＳＲ）タイマーに対応する、Ｃ１０に記載のユーザ機器。
［Ｃ１２］
前記電力節約モードの前記サイクルは、前記ネットワークデバイスがダウンリンクデータを送るのをその間控えるオフ持続時間を備える、Ｃ９に記載のユーザ機器。
［Ｃ１３］
前記少なくとも１つのタイマーが、前記ネットワークデバイスの間欠受信（ＤＲＸ）タイマーに対応する、Ｃ１２に記載のユーザ機器。
［Ｃ１４］
前記ネットワークデバイスに前記電力節約モードから抜けさせることが、スケジューリング要求（ＳＲ）を前記ネットワークデバイスに送ることを備える、Ｃ９に記載のユーザ機器。
［Ｃ１５］
ダウンリンクデータ転送の継続を開始するより前に、前記ＵＥがチューンアウェイすることより前のダウンリンクデータアクティビティに関係する判定基準が満たされたかどうかを決定するための手段をさらに備える、Ｃ９に記載のユーザ機器。
［Ｃ１６］
前記判定基準は、前記ＵＥがチューンアウェイすることより前の時間期間中に前記ＵＥによって受信されたダウンリンクデータのサイズの測度を備える、Ｃ１５に記載のユーザ機器。
［Ｃ１７］
ワイヤレス通信のためのユーザ機器（ＵＥ）であって、
メモリと、
前記メモリに結合された少なくとも１つのプロセッサと
を備え、前記少なくとも１つのプロセッサは、
第１の無線アクセス技術（ＲＡＴ）を介した前記ＵＥとネットワークデバイスとの間のデータ転送アクティビティ中に前記第１のＲＡＴから第２のＲＡＴにチューンアウェイすることと、ここにおいて、データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始することと、ここにおいて、前記タイマーが前記ＵＥに関連する、
前記ネットワークデバイスに電力節約モードから抜けさせることによって、前記第１のＲＡＴにチューンバックするとダウンリンクデータ転送の継続を開始することと、ここにおいて、前記少なくとも１つのタイマーが、前記ネットワークデバイスに関連し、前記電力節約モードのサイクルを定義する、
を行うように構成された、
ユーザ機器。
［Ｃ１８］
前記少なくとも１つのタイマーは、前記ＵＥがデータ転送を要求するのをその間控える時間を定義する、Ｃ１７に記載のユーザ機器。
［Ｃ１９］
前記少なくとも１つのタイマーが、前記ＵＥのバッファステータス報告（ＢＳＲ）タイマーに対応する、Ｃ１８に記載のユーザ機器。
［Ｃ２０］
前記電力節約モードの前記サイクルは、前記ネットワークデバイスがダウンリンクデータを送るのをその間控えるオフ持続時間を備える、Ｃ１７に記載のユーザ機器。
［Ｃ２１］
前記少なくとも１つのタイマーが、前記ネットワークデバイスの間欠受信（ＤＲＸ）タイマーに対応する、Ｃ２０に記載のユーザ機器。
［Ｃ２２］
前記ネットワークデバイスに前記電力節約モードから抜けさせることが、スケジューリング要求（ＳＲ）を前記ネットワークデバイスに送ることを備える、Ｃ１７に記載のユーザ機器。
［Ｃ２３］
前記プロセッサは、ダウンリンクデータ転送の継続を開始するより前に、前記ＵＥがチューンアウェイすることより前のダウンリンクデータアクティビティに関係する判定基準が満たされたかどうかを決定するようにさらに構成された、Ｃ１７に記載のユーザ機器。
［Ｃ２４］
前記判定基準は、前記ＵＥがチューンアウェイすることより前の時間期間中に前記ＵＥによって受信されたダウンリンクデータのサイズの測度を備える、Ｃ２３に記載のユーザ機器。
［Ｃ２５］
ユーザ機器（ＵＥ）によるワイヤレス通信のためのコンピュータ実行可能コードを記憶するコンピュータ可読媒体であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイすることと、ここにおいて、データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始することと、ここにおいて、前記タイマーが前記ＵＥに関連する、
前記ネットワークデバイスに電力節約モードから抜けさせることによって、前記第１のＲＡＴにチューンバックするとダウンリンクデータ転送の継続を開始することと、ここにおいて、前記少なくとも１つのタイマーが、前記ネットワークデバイスに関連し、前記電力節約モードのサイクルを定義する、
を行うためのコードを備える、コンピュータ可読媒体。
［Ｃ２６］
前記少なくとも１つのタイマーは、前記ＵＥがデータ転送を要求するのをその間控える時間を定義する、Ｃ２５に記載のコンピュータ可読媒体。
［Ｃ２７］
前記少なくとも１つのタイマーが、前記ＵＥのバッファステータス報告（ＢＳＲ）タイマーに対応する、Ｃ２６に記載のコンピュータ可読媒体。
［Ｃ２８］
前記電力節約モードの前記サイクルは、前記ネットワークデバイスがダウンリンクデータを送るのをその間控えるオフ持続時間を備える、Ｃ２５に記載のコンピュータ可読媒体。
［Ｃ２９］
前記少なくとも１つのタイマーが、前記ネットワークデバイスの間欠受信（ＤＲＸ）タイマーに対応する、Ｃ２８に記載のコンピュータ可読媒体。
［Ｃ３０］
前記ネットワークデバイスに前記電力節約モードから抜けさせるためのコードが、スケジューリング要求（ＳＲ）を前記ネットワークデバイスに送るためのコードを備える、Ｃ２５に記載のコンピュータ可読媒体。